(57)【特許請求の範囲】
【請求項１】
スピーカ本体と、このスピーカ本体の側周部に対して外周部が取り付けられることにより当該スピーカ本体に内蔵された振動板と、前記スピーカ本体の前記側周部に対して周縁部が固定されるとともに前記振動板をその前面から覆うバッフルとを備えるスピーカであって、
前記バッフルは、前記周縁部から当該バッフルの中央部に向かうにつれて、前記振動板と反対の側に迫り出される曲面状に形成されることにより、少なくとも前記中央部が、前記スピーカ本体より外側に突出していること
を特徴とするスピーカ。
【請求項２】
請求項１に記載のスピーカを基材に取り付けるスピーカの取付構造であって、
前記基材には、前記スピーカのバッフルが貫入可能な貫入孔が設けられ、この貫入孔に前記バッフルが貫入されて、この貫入孔の周縁の前記基材の面に前記スピーカ本体が係合する状態に、前記スピーカが取り付けられていること
を特徴とするスピーカの取付構造。
【請求項３】
請求項２に記載のスピーカの取付構造において、
前記基材は、移動体通信機器の筐体であるか、またはこの筐体の内部に備えられた部材であること
を特徴とするスピーカの取付構造。
【請求項４】
請求項３に記載のスピーカの取付構造において、
前記スピーカは、前記筐体の内面から所定距離だけ離隔するように配置されていること
を特徴とするスピーカの取付構造。
【発明の詳細な説明】
【０００１】
【発明の属する技術分野】
本発明は、スピーカ、およびこのスピーカを基材に取り付けるスピーカの取付構造に関する。
【０００２】
【従来の技術】
近年、携帯電話機に代表されるような移動体通信機器などの電子機器では、様々な付加機能が備えられている。このような電子機器の筐体の内部には、電話や電子メールの着信などを音で知らせるためのスピーカが内蔵されている。
【０００３】
従来の移動体通信端末などの電子機器は、シンプルな形状に形成されているものが多く、筐体に平面が多用されていた。このような電子機器では、例えば図７に示すように、筐体１４１の平面部の内側にスピーカの形状に合わせてリブ１４４を凸設しておき、このリブに囲まれた部分に、必要に応じて緩衝材１２３などを介挿して、スピーカ１０１を嵌め込み、放音孔１４２から筐体１４１の外部に音を出すようにしていた。
【０００４】
そして、このように、筐体１４１の平面部に取り付けられるスピーカ１０１は、図６に示すように、その前面が筐体の形状に合うように平面状に形成されていた。
ここで、スピーカ１０１の前面に設けられるバッフル１１４は、その内側に内蔵されている振動板（コーン紙など）１１３の振幅に応じたクリアランスを設ける必要があった。そこで、スピーカは、このクリアランスの寸法を確保可能な厚さｔ１０１を持つように形成され、スピーカ１０１は筐体１４１の内部空間をこの厚さｔ１０１分だけ占有していた。
【０００５】
一方、近年の移動体通信端末などの電子機器は、手に持ったときのフィット感を良好にしたり、意匠性を高めたりするため、筐体の形状が多様化し、曲面部が多くなってきている。そこで、スピーカを筐体に直接取り付けるのではなく、スピーカを基材に取り付け、この基材を筐体に固定することが考えられる。また、筐体の一部に突出部がある場合、この突出部内にスピーカの一部が貫入するようにして、スピーカを筐体の内部の基材に取り付けることで、筐体の内部でスピーカが占める空間を少なくすることが考えられる。
【０００６】
【発明が解決しようとする課題】
本発明の課題は、筐体の内部においてスピーカが占有する体積を少なくし、筐体の内部空間を有効に利用できるスピーカ、およびスピーカの基材への取付構造を提供することである。
【０００７】
【課題を解決するための手段】
請求項１に記載の発明は、スピーカ本体と、このスピーカ本体の側周部に対して外周部が取り付けられることにより当該スピーカ本体に内蔵された振動板と、前記スピーカ本体の前記側周部に対して周縁部が固定されるとともに前記振動板をその前面から覆うバッフルとを備えるスピーカであって、
前記バッフルは、前記周縁部から当該バッフルの中央部に向かうにつれて、前記振動板と反対の側に迫り出される曲面状に形成されることにより、少なくとも前記中央部が、前記スピーカ本体より外側に突出していること
を特徴とする。
【０００８】
請求項２に記載の発明は、請求項１に記載のスピーカを基材に取り付けるスピーカの取付構造であって、
前記基材には、前記スピーカのバッフルが貫入可能な貫入孔が設けられ、この貫入孔に前記バッフルが貫入されて、この貫入孔の周縁の前記基材の面に前記スピーカ本体が係合する状態に、前記スピーカが取り付けられていること
を特徴とする。
【０００９】
請求項３に記載の発明は、請求項２に記載のスピーカの取付構造において、
前記基材は、移動体通信機器の筐体であるか、またはこの筐体の内部に備えられた部材であること
を特徴とする。
【００１０】
請求項４に記載の発明は、請求項３に記載のスピーカの取付構造において、
前記スピーカは、前記筐体の内面から所定距離だけ離隔するように配置されていること
を特徴とする。
【００１１】
【発明の実施の形態】
以下、本発明のスピーカ、およびスピーカの取付構造の一実施の形態について、図面を参照して詳細に説明する。
図１、図２は、それぞれ、本実施の形態のスピーカ１の断面図、背面図である。図３は、スピーカ１が、携帯電話機（移動体通信機器）４０の筐体４１の内部に、この筐体４１に固定されたスピーカホルダ（基材、または部材）２０を介して取り付けられた状態を示す断面図である。図４、図５は、それぞれ、図３に示すスピーカホルダ２０を下側から見上げた正面図、斜視図である。
【００１２】
本実施の形態のスピーカ１は、動電型スピーカであって、図１に示すように、側部（側周部）１１と底部１２とを備えるフレーム（スピーカ本体）１０と、フレーム１０に内蔵されたからなる振動板１３と、この振動板１３をその前面から覆うバッフル１４とを備えている。
フレーム１０の側部１１には、図２に示すように、後述するスピーカホルダ２０の凹部２３の側面の溝２４と係合する凸部１１ａが形成されている。
また、フレームの底部１２には、図２に示すように、後述するプリント基板３０の面に当接する板バネ状の電極１９が設けられている。
【００１３】
振動板１３は、ＰＥＴ（PolyEthylene Terephthalate resin）などの非磁性体からなり、その外周部はフレーム１０の側部１１に取り付けられている。
【００１４】
フレーム１０の底部１２には、盆形状に形成された、軟鉄などの強磁性体からなるヨーク１５が、スピーカ１の背面を塞ぐように取り付けられている。そして、ヨーク１５の前面には、ネオジウムなどの永久磁石からなるマグネット１６が固定されている。さらに、マグネット１６の前面には、強磁性体からなるプレート１７が取り付けられている。
【００１５】
以上のヨーク１５、マグネット１６およびプレート１７から磁気回路部が構成され、ヨーク１５の内周面とプレート１７の外周面との間に磁気ギャップが構成されている。
そして、この磁気ギャップに、円筒状のボイスコイル１８が挿入され、ボイスコイル１８の一端は振動板１３に取り付けられている。
【００１６】
バッフル１４は、その周縁部１４ｅから中央部１４ｃに向かうにつれて、振動板１３と反対の側、つまりスピーカ１の前面側に徐々に迫り出されるような曲面状に形成され、中央部１４ｃは、フレーム１０の側部より厚さｔ１４だけ、スピーカ１の前面側に突出している。
【００１７】
次に、このスピーカ１を携帯電話機（移動体通信機器）４０の内部のスピーカホルダ２０に取り付けた、スピーカ１の取付構造について説明する。
【００１８】
スピーカホルダ２０には、図３〜図５に示すように、スピーカ１のスピーカ本体１０の側部１１の外径とほぼ同じ径に形成され、スピーカ１を装填可能な円筒形の凹部２３が形成されている。このスピーカホルダ２０は、その一方の面の周縁部に貼付された両面テープ（図示せず）によって、図３に示すように、携帯電話機４０の筐体４１の内面に固定されている。
そして、各凹部２３の底面２２には、それぞれ、スピーカ１のスピーカ本体１０の側部１１の内径とほぼ同じ径に形成され、スピーカ１のバッフル１４を貫入可能な貫入孔２１が形成されている。凹部２３の側面には、スピーカ１の凸部１１ａと係合する溝２４が形成されている。
【００１９】
そして、スピーカ１の凸部１１ａをスピーカホルダ２０の溝２４に係合させるようにして、凹部２３内にスピーカ１を嵌め込む。すると、貫入孔２１の周縁の凹部２３の底面（貫入孔の周縁の基材の面）２２にスピーカ１のスピーカ本体１０の側部１１が係合し、貫入孔２１にスピーカ１のバッフル１４が貫入した状態となる。このとき、凹部２３の底面２２とスピーカ本体１０の側部１１との間に、ゴムなどからなる緩衝材２６を介挿しておく。
この状態で、図４に破線で示すように、スピーカ１のスピーカ本体の底部１２の一部を押さえるように、断面がほぼコ字状に形成された固定板２７をあてがい、この両端部をスピーカホルダ２０に形成されたツメ２５に係合させることで、スピーカ１がスピーカホルダ２０に固定される。
以上のようにして、スピーカ１は、図３に示すように、その前面のバッフル１４が携帯電話機４０の筐体４１の内面から所定距離だけ離隔するように配置され、この状態に固定される。
【００２０】
スピーカ１から発せられる音は、図３に示すように、筐体４１の放音孔４２を通じて外部に出る。
ここで、スピーカホルダ２０に固定されたスピーカ１の前面および背面には、図３に示すように空隙が形成されて、スピーカ１周辺部の空気の通気性が確保されている。これにより、振動板１３が振動しやすくなり、スピーカの発音性能が良好なものとなる。また、スピーカ１が固定されたスピーカホルダ２０と、これと隣り合うプリント基板３０との間に形成される空隙（バックキャビティ）により、スピーカ１から発せられる音のうち低音が強調される。
【００２１】
上記の実施の形態に記載のスピーカ１、およびスピーカ１の取付構造によれば、スピーカ本体１０よりも外側に突出したバッフル１４が、スピーカホルダ２０の貫入孔２１に貫入する状態に、スピーカ１をスピーカホルダ２０に取り付けることができる。
そして、携帯電話機４０の筐体４１の突出部４３の内側の空間に、上記バッフル１４が納められた状態に、スピーカ１を取り付けることができる。
このように、スピーカ１が、厚さｔ１４だけスピーカホルダ２０中（筐体４１の中央側）に貫入されることにより、スピーカホルダ２０上（スピーカホルダ２０の背面側）に突出するスピーカの厚さを、上記厚さｔ１４だけ少なくすることができる。
【００２２】
したがって、スピーカ１が取り付けられるスピーカホルダ２０が内蔵された携帯電話機４０の筐体４１の内部でスピーカ１が占める体積が小さくなり、筐体４１の内部空間を有効に利用できる。したがって、筐体４１の小型化、すなわち携帯電話機４１の小型化を図ることができる。また、筐体４１の内部に、デジタルカメラのレンズなど他の部品を組み込むための体積を確保しやすくなる。
【００２３】
また、スピーカホルダ２０の凹部２３内にスピーカ１が嵌め込まれた状態で、凹部２３の底面２２とスピーカ本体１０の側部１１との間に、ゴムなどからなる緩衝材２６が介挿されているので、携帯電話機４０が落下などによる衝撃を受けた場合、これに内蔵されたスピーカ１が受ける衝撃を緩和することができる。
【００２４】
なお、本発明は上記の実施の形態に限定されることなく、本発明の主旨を逸脱しない範囲において、種々の改良並びに設計の変更を行ってもよい。
例えば、本実施の形態に記載のスピーカ１、およびスピーカ１の取付構造は、携帯電話機に適用されたものであるが、例えばＰＤＡ（Personal Digital Assistant）や携帯ラジオなど、スピーカを備える種々の電子機器に適用することができる。
また、本実施の形態では、スピーカ１がスピーカホルダ２０を介して携帯電話機４０の筐体４１に取り付けられているが、携帯電話機の筐体とスピーカホルダとを一体に形成し、この筐体のスピーカホルダ部分にスピーカを取り付けて、部品点数を少なくしても良い。
その他、具体的な細部構造などについても適宜に変更可能であることは勿論である。
【００２５】
【発明の効果】
本発明のスピーカ、またはスピーカの取付構造によれば、スピーカを備えた電子機器の筐体の内部空間を有効に利用でき、筐体の小型化、すなわち電子機器の小型化を図ることができる。
【図面の簡単な説明】
【図１】本発明のスピーカの一例を示す、断面図である。
【図２】本発明のスピーカの一例を示す、背面図である。
【図３】本発明のスピーカの取付構造の一例を示す、断面図である。
【図４】本発明のスピーカの取付構造の一例における基材を示す、正面図である。
【図５】本発明のスピーカの取付構造の一例における基材を示す、斜視図である。
【図６】従来のスピーカの一例を示す、断面図である。
【図７】従来のスピーカの取付構造の一例を示す、断面図である。
【符号の説明】
１        スピーカ
１０        スピーカ本体
１１        側部
１２        底部
１３        振動板（コーン紙）
１４        バッフル
１４ｃ      中央部
１４ｅ      周縁部
２０        基材（部材）（スピーカホルダ）
２１        貫入孔
２２        （貫入孔の周縁の）基材の面（凹部の底面）
２６        緩衝材
４０        移動体通信機器（携帯電話機）
４１        筐体
【図１】
0003955968.tif 000002
【図２】
0003955968.tif 000003
【図３】
0003955968.tif 000004
【図４】
0003955968.tif 000005
【図５】
0003955968.tif 000006
【図６】
0003955968.tif 000007
【図７】
0003955968.tif 000008